(57)【要約】【課題】  プラズマディスプレイパネルのランプ型リセット波形を効率的に生成させるためのディスプレイパネルのランプ型リセット波形の生成装置及びその設計方法を提供する。【解決手段】  ディスプレイパネル駆動装置において、ディスプレイパネルの第１電極サステイン回路に第１端子を連結し、所定の電流指令に相応する電流を生成させる電流源と、前記電流源の第２端子と前記ディスプレイパネルの第１電極端子間の電流導通をスイッチングするための第１スイッチング手段と、前記電流源の第２端子と前記ディスプレイパネルの第２電極端子間の電流導通をスイッチングするための第２スイッチング手段と、を含み、リセット区間で所定のスイッチングシーケンスによって前記電流源で生成された電流による前記ディスプレイパネルの充電または放電プロセスによって、前記ディスプレイパネルの第１及び第２電極でランプ型リセット波形を生成させる。【選択図】      図４
2005173596.tif 000002
【特許請求の範囲】
【請求項１】
ディスプレイパネル駆動装置において、
ディスプレイパネルの第１電極サステイン回路に第１端子を連結し、所定の電流指令に相応する電流を生成させる電流源と、
前記電流源の第２端子と前記ディスプレイパネルの第１電極端子間の電流導通をスイッチングするための第１スイッチング手段と、
前記電流源の第２端子と前記ディスプレイパネルの第２電極端子間の電流導通をスイッチングするための第２スイッチング手段とを含み、リセット区間で所定のスイッチングシーケンスによって前記電流源で生成された電流による前記ディスプレイパネルの充電または放電プロセスによって、前記ディスプレイパネルの第１及び第２電極でランプ型リセット波形を生成させることを特徴とするディスプレイパネルのランプ型リセット波形の生成装置。
【請求項２】
前記電流指令は、複数のランプ波形に相異なる傾斜度を発生させるための複数のランプ発生信号に対してそれぞれ独立的にレベル調節可能に設計することを特徴とする請求項１に記載のディスプレイパネルのランプ型リセット波形の生成装置。
【請求項３】
前記電流指令を発生させるための回路は、
複数のランプ波形発生信号にそれぞれの加重値を乗算して加算する加重値加算器と、
前記加重値加算器の出力信号からオフセット電圧を減算するための減算器とを含むことを特徴とする請求項１に記載のディスプレイパネルのランプ型リセット波形の生成装置。
【請求項４】
前記加重値加算器及び減算器は、ＯＰアンプ及び抵抗素子で設計することを特徴とする請求項３に記載のディスプレイパネルのランプ型リセット波形の生成装置。
【請求項５】
前記電流源は変圧器で絶縁された形態のスイッチングコンバータ回路で具現することを特徴とする請求項１に記載のディスプレイパネルのランプ型リセット波形の生成装置。
【請求項６】
前記所定スイッチングシーケンスは、
前記リセット区間のうち、前記ディスプレイパネルの第１電極の上昇ランプ波形の生成区間では、第１電極サステイン回路によってディスプレイパネルの第１電極に一定電圧を印加し、第２電極サステイン回路によってディスプレイパネルの第２電極を接地させた状態で、前記第１スイッチング手段を導通させて前記第２スイッチング手段を遮断し、前記電流源から前記ディスプレイパネルの第１電極に供給される電流に相応して前記ディスプレイパネルを充電させ、前記ディスプレイパネルの第１電極電圧が線形的に上昇するように電流経路を設定することを特徴とする請求項５に記載のディスプレイパネルのランプ型リセット波形の生成装置。
【請求項７】
前記所定スイッチングシーケンスは、
前記リセット区間のうち、前記ディスプレイパネルの第１電極の降下ランプ波形の生成区間では、前記ディスプレイパネルの第２電極を前記第２電極サステイン回路によって一定の電圧に維持させた状態で、第１スイッチング手段を遮断させて第２スイッチング手段を導通させ、前記電流源から供給される電流に相応して前記ディスプレイパネルの第１電極を通じて放電され、前記ディスプレイパネルの第１電極電圧が線形的に降下するように電流経路を設定することを特徴とする請求項５に記載のディスプレイパネルのランプ型リセット波形の生成装置。
【請求項８】
前記所定スイッチングシーケンスは、
前記リセット区間のうち、前記ディスプレイパネルの第２電極の上昇ランプ波形の生成区間では、前記ディスプレイパネルの第１電極を前記第１電極サステイン回路によって接地させた状態で、第１スイッチング手段を遮断して第２スイッチング手段を導通させ、前記電流源から供給される電流に相応して前記ディスプレイパネルを充電させ、前記ディスプレイパネルの第２電極電圧が線形的に上昇するように電流経路を設定することを特徴とする請求項５に記載のディスプレイパネルのランプ型リセット波形の生成装置。
【請求項９】
ディスプレイパネル駆動装置のリセット区間で利用される複数のランプ波形発生装置の設計方法において、
電流指令に相応する電流を生成させる電流源、及び前記電流源で生成された電流の導通経路を決定する複数のスイッチング素子を前記ディスプレイパネル駆動装置に回路的に配置し、所定のランプ波形発生区間の間に所定のスイッチングシーケンスにより前記電流源で生成された電流によって前記ディスプレイパネルの充電または放電がおきるように電流の導通経路を決定して、前記ディスプレイパネルの第１電極または第２電極でランプ電圧が発生するように設計することを特徴とするディスプレイパネルのランプ型リセット駆動装置の設計方法。
【請求項１０】
前記電流指令は、複数のランプ波形に相異なる傾斜度を発生させるための複数のランプ発生信号に対してそれぞれ独立的にレベル調節可能に設計することを特徴とする請求項９に記載のディスプレイパネルのランプ型リセット駆動装置の設計方法。
【請求項１１】
前記電流源は、変圧器で絶縁された形態のスイッチングコンバータ回路で設計することを特徴とする請求項９に記載のディスプレイパネルのランプ型リセット駆動装置の設計方法。
【請求項１２】
前記所定スイッチングシーケンスは、
前記リセット区間のうち、前記ディスプレイパネルの第１電極の上昇ランプ波形の生成区間では、前記ディスプレイパネルの第１電極に一定電圧が印加されて前記ディスプレイパネルの第２電極が接地された状態で、前記電流源から前記ディスプレイパネルの第１電極に供給される電流に相応して前記ディスプレイパネルを充電させ、前記ディスプレイパネルの第１電極電圧を線形的に上昇させるための電流経路が形成されるように設計することを特徴とする請求項９に記載のディスプレイパネルのランプ型リセット駆動装置の設計方法。
【請求項１３】
前記所定スイッチングシーケンスは、
前記リセット区間のうち、前記ディスプレイパネルの第１電極の降下ランプ波形の生成区間では、前記ディスプレイパネルの第２電極を一定の電圧に維持させた状態で、前記電流源から供給される電流に相応して前記ディスプレイパネルの第１電極を通じて放電されて、前記ディスプレイパネルの第１電極電圧を線形的に降下させるための電流経路が形成されるように設計することを特徴とする請求項９に記載のディスプレイパネルのランプ型リセット駆動装置の設計方法。
【請求項１４】
前記所定スイッチングシーケンスは、
前記リセット区間のうち、前記ディスプレイパネルの第２電極の上昇ランプ波形の生成区間では、前記ディスプレイパネルの第１電極を前記第１電極サステイン回路によって接地させた状態で、前記電流源から供給される電流に相応して前記ディスプレイパネルを充電させ、前記ディスプレイパネルの第２電極電圧を線形的に上昇させるための電流経路が形成されるように設計することを特徴とする請求項９に記載のディスプレイパネルのランプ型リセット駆動装置の設計方法。
【発明の詳細な説明】
【技術分野】
【０００１】
本発明はディスプレイパネル駆動装置及びその設計方法に係り、特にプラズマディスプレイパネルのランプ型リセット波形を効率的に生成させるためのディスプレイパネルのランプ型リセット波形の生成装置及びその設計方法に関する。
【背景技術】
【０００２】
一般的にプラズマディスプレイパネル（ＰＤＰ）は、気体放電により生成されたプラズマを利用して文字または映像を表示する次世代平板ディスプレイ装置であり、ＰＤＰは、大きさによって数十万個から数百万個以上のピクセルがマトリックス状に配列されている。
【０００３】
ＰＤＰ駆動回路の基本的な動作は特許文献１に説明されている。
【０００４】
ＰＤＰの駆動シーケンスは、リセット区間、アドレス放電区間及びサステイン放電区間に区分される。リセット区間は、あらゆるセルを放電させると同時に壁電荷を消去することによって表示履歴を消去する区間であり、アドレス放電区間は、パネルの行／列電極の組合わせによるマトリックス構成によって放電セルを選択してアドレス放電を形成する区間であり、サステイン放電区間は、アドレス放電により壁電荷を形成しているセルでのみ維持放電及び電力回数を反復実行しつつ画像を表示する区間である。
【０００５】
細部的に、リセット区間は、前フィールドのサステイン放電終了後に残った壁電荷をなくす壁電荷消去区間と、現在フィールドのアドレッシングのためにパネルを初期化させる壁電荷再配置区間と、を含む。
【０００６】
ＰＤＰパネルでリセットに利用される波形として、矩形波パルス、指数波形、ランプ波形などがある。矩形波パルスを利用したリセットは駆動回路の具現が非常に簡単であるという長所がある一方、強放電の発生による明暗比低下の品質問題が発生するという短所があり、指数波形を利用したリセットは、リセットにかかる時間が長くて最適のリセットを得難いという短所がある。それだけでなく、指数波形を利用したリセットは、パネルのキャパシタンスを抵抗を経て充電させることによって得られるが、この過程で抵抗を通じて消耗される電力による発熱及び効率低下が発生するという短所がある。
【０００７】
ランプ波形リセットは、このような短所を補完して現在ＰＤＰ駆動回路で最も普遍的に使われている。
【０００８】
図１に、従来の技術によるランプ波形を利用してリセットを具現するＡＣ（交流）ＰＤＰ駆動システムの主要構成を示し、図２に、ＰＤＰのＸ電極及びＹ電極に印加される駆動波形を示した。
【０００９】
図１に示されたランプＡ、Ｂ、Ｃ回路の動作は基本的に同一であり、補助的な目的で追加された素子を除外すれば図３のように表現できる。
【００１０】
ＣＰはパネルのキャパシタンスを示し、その両端の初期電圧は０Ｖであると仮定する。Ｖ＋はランプ波形の最終値を決定するＶＥ、ＶＳＥＴのような電圧源を示したものであるが、この電圧は、ランプの最終値のみ決定するだけでランプ波形の発生とは関係ない。ランプ発生信号ＶＧが印加される前にＣＲはＶ＋の値で充電されている。ＶＧに電圧が印加されれば、電流ｉＲが流れ始めるが、ｉＲの一部はＭＯＳＦＥＴ  ＭＲのゲートに流れ込んでゲート−ソース間の電圧ＶＧＳを上昇させ、残りの電流はキャパシタＣＲに流れ込む。ＭＲのゲートに十分量の電荷が蓄積されてＶＧＳがしきい電圧ＶＴＨを超過すれば、ＭＲがカットオフ状態から外れつつｉＤが２次関数に急速に増加し始める。この時からＣＰの充電が本格的になされ始めるが、電流ｉＤ−ｉＲによってＣＰが充電される速度と、電流ｉＲ−ｉＧによってＣＲが放電される速度とが同一になるという点で、ＶＧＳが平衡をなす。ＶＧＳが平衡をなせば、ＭＲのドレイン電流ｉＤが一定に維持されるとともに回路上の残り電流も一定に維持されて、ＣＰ両端の電圧が線形的に上昇する。もし、ｉＤが一時的に増加してＣＰの充電速度がＣＲの放電速度より速くなれば、ＶＧＳが小さくなりつつｉＤが再び減少してＣＰの電圧が上昇する速度が遅くなる。また、ＶＧＳが小さくなればＣＲに流れ込む電流は増加し、ＣＲの放電速度が増加して結局ＣＰとＣＲとの電圧変動率が同一に維持される。抵抗ＲＧはＶＧＳの正常状態値を決定する値であり、それを調整してＣＰ両端の電圧波形の傾斜度を調整する。
【００１１】
図３の回路構成で、ＭＯＳＦＥＴ ＭＲはスイッチング素子として動作するものではなく、可変抵抗の役割を行いつつ電圧制御される電流源として動作するために、発熱による放熱板の必要及び効率低下問題が発生する。また、あらゆるランプ波形に対してそれぞれのランプ発生回路が割り当てられ、相異なるランプ波形の最終値によってそれぞれの電圧源が要求されるために、ＰＤＰ全体システム構成が複雑になってコスト高になる問題点があった。
【特許文献１】米国特許公報ＵＳ４，８６６，３４９
【発明の開示】
【発明が解決しようとする課題】
【００１２】
本発明が解決しようとする技術的課題は、前述した問題点を解決するために一つの電流源及び二つのスイッチング素子を利用してランプ型リセット波形を生成させるためのディスプレイパネルのランプ型リセット波形の生成装置及びその設計方法を提供するところにある。
【課題を解決するための手段】
【００１３】
前記技術的課題を達成するために本発明によるディスプレイパネルのランプ型リセット波形の生成装置は、ディスプレイパネル駆動装置において、ディスプレイパネルの第１電極サステイン回路に第１端子を連結し、所定の電流指令に相応する電流を生成させる電流源と、前記電流源の第２端子と前記ディスプレイパネルの第１電極端子間の電流導通をスイッチングするための第１スイッチング手段と、前記電流源の第２端子と前記ディスプレイパネルの第２電極端子間の電流導通をスイッチングするための第２スイッチング手段とを含み、リセット区間で所定のスイッチングシーケンスによって前記電流源で生成された電流による前記ディスプレイパネルの充電または放電プロセスによって、前記ディスプレイパネルの第１及び第２電極でランプ型リセット波形を生成させることを特徴とする。
【００１４】
前記他の技術的課題を達成するために本発明によるディスプレイパネルのランプ型リセット駆動装置の設計方法は、ディスプレイパネル駆動装置のリセット区間で利用される複数のランプ波形発生装置の設計方法において、電流指令に相応する電流を生成させる電流源、及び前記電流源で生成された電流の導通経路を決定する複数のスイッチング素子を前記ディスプレイパネル駆動装置に回路的に配置し、所定のランプ波形発生区間の間に所定のスイッチングシーケンスにより前記電流源で生成された電流によって前記ディスプレイパネルの充電または放電がおきるように電流の導通経路を決定して、前記ディスプレイパネルの第１電極または第２電極でランプ電圧が発生するように設計することを特徴とする。
【発明の効果】
【００１５】
本発明によれば、ディスプレイパネル駆動システムで単一の電流源及び２個のスイッチング手段を利用してランプ型リセット波形を生成させるように回路を設計することによって、ディスプレイ駆動回路を単純化させうる。すなわち、従来の技術によるランプ型リセット波形の生成装置では、３個のランプ発生回路及びランプ電圧の最大値を決定するＶＥ、ＶＳＥＴを生成する別途の電源を必要とするのに対し、本発明では別途の信号追加なしに一つの電流源と電流の方向を変える２個のスイッチング素子とを統合して具現することにより、部品数を大幅減らしうる。このように、部品数を減らすことができてコストダウン、ＰＣＢ（印刷基板）空間節約及び製品の信頼性が高まる。
【００１６】
また、本発明で使われるＭＯＳＦＥＴ素子はスイッチング素子として動作するために、従来の技術によるランプ発生回路のＭＯＳＦＥＴ素子が線形領域で動作することによる発熱及び効率低下の問題を解決できる。
【００１７】
それだけでなく、電流源の出力端にはキャパシタフィルターが使われないが、電圧には大容量のキャパシタが必要である。したがって、本発明で使われる電流源は、電流制御されるスイッチングコンバータを利用して具現することによって、電圧源を必要とする従来の技術に比べて大容量のキャパシタを使用する必要がなく、部品数及びＰＣＢ空間を減らしうる。
【発明を実施するための最良の形態】
【００１８】
以下、添付した図面を参照して本発明の望ましい実施例について詳細に説明する。
【００１９】
図４の本発明によるディスプレイパネルのランプリセット波形発生装置が適用されたディスプレイパネル駆動システムは、Ｙ電極サステイン回路４１０、Ｘ電極サステイン回路４２０、電流源４３０、ＰＤＰパネル４４０、ＭＯＳＦＥＴスイッチＳ１、Ｓ２、ＹＰを備える。
【００２０】
前記のシステム構成において、ディスプレイパネルのリセット区間で各ランプ波形を生成させるために一つの電流源４３０及び二つのＭＯＳＦＥＴスイッチＳ１、Ｓ２を利用する。
【００２１】
さらに、図２に示されたリセット区間でのランプＡ、Ｂ、Ｃ波形を発生させる動作原理について説明する。
【００２２】
１）ランプＡ波形発生モード
このモードでは、パネルのＸ電極を接地させた状態でＹ電極の電圧をＶＳから一定の傾斜度で上昇させるために、スイッチＹ１はＯＮ、スイッチＹ２はＯＦＦ、スイッチＸ１はＯＦＦ、スイッチＸ２はＯＮとなっている状態で、スイッチＹＰをＯＦＦ、スイッチＳ１をＯＮ、スイッチＳ２をＯＦＦとし、電流源４３０に電流指令ＩＲＥＦ（Ａ）を加える。この時の等価回路及び電流の導通経路を図７Ａに示した。
【００２３】
Ｙ電極の電圧が目標電圧（一例として、ＶＳ＋ＶＳＥＴ）に到達すれば、電流指令ＩＲＥＦ（Ａ）を０にしてそれ以上電圧を上昇させない。それにより、Ｙ電極に生成される電圧は図２に示されたランプＡのような電圧波形となる。ランプＡ波形の傾斜度はＩＲＥＦ（Ａ）／ＣＰとなり、Ｙ電極の電圧がＶＳＥＴほど上昇するのにかかる時間はＶＳＥＴＣＰ／ＩＲＥＦ（Ａ）のようである。
【００２４】
２）ランプＢ波形発生モード
このモードでは、スイッチＸ１をＯＮとしてＸ電極の電圧をＶＳに固定させ、残りのサステインスイッチＹ１、Ｙ２、Ｘ２はＯＦＦとする。そして、スイッチＳ１はＯＦＦ、スイッチＹＰはＯＮとなっている状態で、スイッチＳ２をＯＦＦとして電流指令ＩＲＥＦ（Ｂ）を電流源４３０に印加すれば、電流は図７Ｂに示されたような経路に流れつつＹ電極を通じてパネルを放電させる。
【００２５】
これにより、パネルのＸ電極はＶＳに固定されている状態で、Ｙ電極の電圧はＶＳから０まで一定の傾斜度に降下するランプＢ波形となる。この時、ランプＢ波形の傾斜度はＩＲＥＦ（Ｂ）／ＣＰとなり、Ｙ電極の電圧が０になるのにかかる時間はＶＳＣＰ／ＩＲＥＦ（Ｂ）のようである。
【００２６】
３）ランプＣ波形発生モード
このモードでは、スイッチＹ２をＯＮとしてパネルのＹ電極の接地を維持し、残りのサステインスイッチＹ１、Ｘ１、Ｘ２はＯＦＦとする。この状態で、ランプＢ波形発生モードでのようにスイッチＹＰ、Ｓ２をＯＮとし、スイッチＳ１をＯＦＦとした状態で電流指令ＩＲＥＦ（Ｃ）を電流源４３０に印加すれば、電流は図７Ｃに示されたような経路に流れつつＸ電極の電圧が０から線形的に上昇するランプＣ波形となる。Ｘ電極の電圧が目標電圧（一例として、ＶＥ）に到達すれば、電流指令ＩＲＥＦ（Ｃ）を０として電圧上昇を中断する。ランプＣ波形の傾斜度はＩＲＥＦ（Ｃ）／Ｐとなり、Ｘ電極の電圧がＶＥに到達するのにかかる時間はＶＳＣＰ／ＩＲＥＦ（Ｃ）のようである。
【００２７】
このような回路動作によってリセット区間で、ランプＡ、Ｂ、Ｃ波形がＰＤＰパネル４４０のＸ電極またはＹ電極に生成される。
【００２８】
そして、リセット区間を除外した残りの区間ではランプ波形を必要としないので、ランプ波形発生回路がディスプレイパネル駆動回路に影響を及ぼさないようにスイッチＳ１、Ｓ２をいずれもＯＦＦとし、スイッチＹＰはＯＮとする。
【００２９】
スイッチＳ１は、ランプＡ波形発生モードでのみＯＮとなるので、既存ランプ発行回路に適用されるランプＡ発生信号ＶＡをそのまま使用して駆動し、スイッチＳ２は、ランプＢ波形発生モード及びランプＣ波形発生モードでＯＮとなるので、既存ランプ発生回路に適用されるランプＡ発生信号ＶＢとＶＣとの論理和ＯＲで駆動される。
【００３０】
一つの電流源４３０で相異なる傾斜度のランプＡ、Ｂ、Ｃ波形を生成させるためには、それぞれの傾斜度に該当するアナログ電流指令ＩＲＥＦ（Ａ）、ＩＲＥＦ（Ｂ）、ＩＲＥＦ（Ｃ）が必要である。
【００３１】
アナログ電流指令を生成させるための具体的な回路を図５に示した。
【００３２】
図５に示されたように、アナログ電流指令を生成させるための回路は、加重値加算器５１０及び減算器５２０で構成される。
【００３３】
ＶＡ、ＶＢ及びＶＣは、図１に示された既存のディスプレイパネル駆動回路でそれぞれランプＡ、Ｂ、Ｃ回路のＭＯＳＦＥＴを駆動させるランプ発生信号であるが、本発明では図５に示されたように、ＶＡ、ＶＢ及びＶＣの論理否定（ＮＯＴ）値である／ＶＡ、／ＶＢ及び／ＶＣ値が電流指令発生回路の入力として印加される。そして、一例としてそれら信号のハイレベルはＶＤＤ値である５Ｖとし、ＯＰ  ＡＭＰの電源としては、ＶＤＤより高い１５ＶのＶＤＣを利用する。
【００３４】
それにより、ＯＰ  ＡＭＰ  Ａ１の出力ｖｘは式（１）のように表現される。
【００３５】
【数１】
2005173596.tif 000003
リセット区間を除外した残りの区間で／ＶＡ、／ＶＢ及び／ＶＣ値はいずれもＶＤＤと設計する。これにより、リセット区間を除外した残りの区間で式（１）のあらゆる括弧の中は０となり、ＶＤＤほどのオフセット電圧がＯＰ  ＡＭＰ  Ａ１から出力される。このオフセット電圧を除去するために減算器５２０を使用した。
【００３６】
減算器５２０のＯＰ  ＡＭＰ  Ａ２の出力ＩＲＥＦは式（２）のように表現される。
【００３７】
【数２】
2005173596.tif 000004
式（２）で分かるように、ランプ発生信号が印加されれば、そのランプ発生信号に該当する括弧項を除外した残りの項がいずれも０となり、残っている項は該当ランプ波形の傾斜度を決定する抵抗だけの関数となる。例えば、ランプＢ発生信号が印加される場合、ＯＰ  ＡＭＰ  Ａ２の出力ＩＲＥＦ（Ｂ）はＶＤＤＲｆ／ＲＢとなる。これにより、ランプＢ波形を生成させるための電流指令ＩＲＥＦ（Ｂ）の値はＲＢを変化させることによって調整でき、ＲＢ及びＲＢの値によっては全く影響されない。これと同じく、ＩＲＥＦ（Ａ）及びＩＲＥＦ（Ｃ）もそれぞれＲＡ及びＲＣのみによって独立的に決定される。帰還抵抗Ｒｆは、ＩＲＥＦ（Ａ）、ＩＲＥＦ（Ｂ）及びＩＲＥＦ（Ｃ）に共通的に作用して電流指令発生回路の利得値を決定する役割を行う。
【００３８】
電流指令による具体的な電流源４３０は、出力端にインダクターがある回路方式のスイッチングコンバータを利用して容易に具現できる。本発明で要求される電流源４３０の出力端子いずれも接地されていないために、変圧器で絶縁された形態のスイッチングコンバータが必要である。このような条件を満足するスイッチングコンバータであるフォワードコンバータを利用して電流源を設計できる。
【００３９】
図６に、フォワードコンバータを利用して具現した電流源回路を示した。図６に示されたように、ＰＷＭ（パルス幅変調）コントローラによって、インダクターＬ１の平均電流が電流指令ＩＲＥＦを追従するように制御される。ランプ波形のピーク電圧は、電流指令の持続時間を変化させて調節できる。
【００４０】
本発明は方法、装置、システムなどとして実行されうる。ソフトウェアとして実行される時、本発明の構成手段は必然的に必要な作業を実行するコードセグメントである。プログラムまたはコードセグメントはプロセッサー判読可能媒体に保存され、または伝送媒体または通信網で搬送波と結合されたコンピュータデータ信号によって伝送されることもある。プロセッサー判読可能媒体は情報を保存または伝送できるいかなる媒体も含む。プロセッサー判読可能媒体の例には、電子回路、半導体メモリ素子、ＲＯＭ、フラッシュメモリ、ＥＥＰＲＯＭ、フロッピー（登録商標）ディスク、光ディスク、ハードディスク、光繊維媒体、無線周波数（ＲＦ）網などがある。コンピュータデータ信号は、電子網チャンネル、光繊維、空気、電磁界、ＲＦ網などの伝送媒体上に伝播されうるいかなる信号も含む。
【００４１】
添付された図面に示されて説明された特定の実施例は単に本発明の例として理解され、本発明の範囲を限定するものではなく、本発明が属する技術分野において本発明に記述された技術的思想の範囲内で多様な他の変更が発生しうるので、本発明は図示または記述された特定の構成及び配列に制限されない。
【産業上の利用可能性】
【００４２】
本発明は多様な形態のディスプレイパネル駆動装置に適用でき、特に本発明がＰＤＰ駆動装置に適用される場合に駆動回路を単純化させることができ、また高効率の駆動特性を得ることができて性能向上を図れる。
【図面の簡単な説明】
【００４３】
【図１】従来の技術によるＰＤＰ駆動システムの主要構成図である。
【図２】ランプ型波形によるリセットを実行するＰＤＰのＸ、Ｙ電極の駆動波形を示した図である。
【図３】図１に示されたランプＡ、Ｂ、Ｃ回路の動作を説明するための回路構成図である。
【図４】本発明によるディスプレイパネルのランプ型リセット波形の生成装置が適用されたＰＤＰ駆動システムの構成図である。
【図５】本発明に適用される電流指令を発生させるための回路構成図である。
【図６】本発明に適用される電流源をフォワードコンバータで具現した回路構成図である。
【図７Ａ】各ランプ波形を生成させるモード別等価回路及び電流導通経路を示した図である。
【図７Ｂ】各ランプ波形を生成させるモード別等価回路及び電流導通経路を示した図である。
【図７Ｃ】各ランプ波形を生成させるモード別等価回路及び電流導通経路を示した図である。
【符号の説明】
【００４４】
４１０  Ｙ電極サステイン回路
４２０  Ｘ電極サステイン回路
４３０  電流源
４４０  ＰＤＰパネル
Ｓ１、Ｓ２、ＹＰ  ＭＯＳＦＥＴスイッチ
【図１】
2005173596.tif 000005
【図２】
2005173596.tif 000006
【図３】
2005173596.tif 000007
【図４】
2005173596.tif 000008
【図５】
2005173596.tif 000009
【図６】
2005173596.tif 000010
【図７Ａ】
2005173596.tif 000011
【図７Ｂ】
2005173596.tif 000012
【図７Ｃ】
2005173596.tif 000013